(57)【要約】【課題】温水洗浄便座の着座検出装置が着座時の便座の軸部の下降ストロークそのままでタクトスイッチの接点を閉じる（ＯＮする）ものに比して、便座の下降ストロークに対するスイッチの動作ストロークを大きくとることが容易で、便器の歪みが大きい場合や温水洗浄便座の部品同士の干渉がある場合に生じるスイッチ動作誤差を吸収して着座検出が確実となる装置を提供する。【解決手段】着座時の便座の下降によって作動するタクトスイッチを収納したスイッチケース内に、軸支持部でシーソー式回動可能に支持された作動アームと、この作動アームの一端側のスイッチ作動部が下降してタクトスイッチの接点を閉じるように作動アーム他端側の押し圧作動部を常時上昇付勢するコイルバネを備え、便座の下降に伴い作動アームはコイルバネに抗した押し圧作動部の下降によってスイッチ作動部が上昇してスイッチ接点を開くこと。【選択図】図７
2009028195.tif 000002
【特許請求の範囲】
【請求項１】
開閉する便座の軸部に対応配置され着座時の便座の下降によってタクトスイッチを作動
する仕組みの温水洗浄便座の着座検出スイッチ装置において、前記タクトスイッチを収納
したスイッチケース内には、軸支持部でシーソー式回動可能に支持された作動アームと、
この作動アームの一端側のスイッチ作動部が下降して前記タクトスイッチの接点を閉じる
ように前記作動アーム他端側の押し圧作動部を常時上昇付勢するコイルバネを備え、前記
便座の下降に伴い前記作動アームは、前記コイルバネに抗した前記押し圧作動部の下降に
よって、前記スイッチ作動部が上昇して前記スイッチ接点を開くことにより、便座に着座
したことを検出する温水洗浄便座の着座検出スイッチ装置。
【請求項２】
前記スイッチケースは上面開口を備え、前記スイッチケースに対して上下動可能に組み
合わされて前記便座の軸部が当接する耐磨耗性の合成樹脂製スイッチカバーで前記上面開
口が覆われ、前記スイッチカバーは、前記便座の軸部の下降に伴って前記スイッチ接点を
開く方向に前記押し圧作動部を下降作動することを特徴とする請求項１に記載の温水洗浄
便座の着座検出スイッチ装置。
【発明の詳細な説明】
【技術分野】
【０００１】
本発明は、便座に着座したときタクトスイッチを作動する温水洗浄便座の着座検出スイ
ッチ装置に関する。
【背景技術】
【０００２】
従来の温水洗浄便座は、図８及び図９に示すように、開閉する便座の軸部に対応配置さ
れ着座時の便座の下降によってタクトスイッチ５０の接点を閉じて（ＯＮして）、温水洗
浄便座の洗浄ノズルから温水を噴射することができる着座検出スイッチ装置を備えている
。このタクトスイッチ５０は、上面開口のスイッチケース５１内に収納され、スイッチケ
ース５１の上面開口は、スイッチケース５１に対して上下動可能に組み合わされたスイッ
チカバー５２によって覆われている。タクトスイッチ５０の接点を開閉する可動部５３を
取り囲むように、タクトスイッチ５０の上に保持した大径コイルバネ５４と、この大径コ
イルバネ５４内において、タクトスイッチ５０の上に保持した小径コイルバネ５５を備え
ている。図９に示すように、スイッチカバー５２には可動部５３に対応位置する突起部５
６が形成され、小径コイルバネ５５がこの突起部５６の周囲と可動部５３の周囲に嵌り合
っている。また、大径コイルバネ５４は小径コイルバネ５５を取り囲んで、タクトスイッ
チ５０の上面とスイッチカバー５２の裏面に渡って配置されている。
【０００３】
この構成において、大径コイルバネ５４によって便座の軸部に係る荷重を支え、着座時
の便座の軸部の下降によってスイッチカバー５２が大径コイルバネ５４を押し圧して下降
するとき、小径コイルバネ５５が押し圧されることによって可動部５３が下降して、タク
トスイッチ５０の接点を閉じる（ＯＮする）。これによって、制御部が着座検出状態とな
って、操作パネル部の洗浄開始スイッチの操作によって、洗浄ノズルから温水を噴出して
便座した人の部位を洗浄する状態となる。
【発明の開示】
【発明が解決しようとする課題】
【０００４】
この着座検出スイッチ装置は、着座時の便座の軸部の下降によってスイッチカバー５２
が、小径コイルバネ５５を介してタクトスイッチ５０の接点を閉じる（ＯＮする）構成で
あり、着座時の便座の軸部の下降ストロークがそのまま、タクトスイッチ５０の接点を閉
じる（ＯＮする）ストロークとなる。このため、小径コイルバネ５５の自由長やバネ定数
のバラツキによって、温水洗浄便座ごとにタクトスイッチ５０が接点を閉じる（ＯＮする
）ストロークや動作力にバラツキが生じ、着座検出が一定しないことがある。
【０００５】
また、この着座検出スイッチ装置を備えた温水洗浄便座を便器上に取り付けた際に、便
器の歪みが大きい場合や部品同士の干渉がある場合には、タクトスイッチ５０の接点を閉
じる（ＯＮする）まで小径コイルバネ５５が十分に縮まらず、接点が閉じない（ＯＮしな
い）ことによって、着座検出ができないことがある。なお、スイッチカバー５２がゴム製
であるため、便座の開閉時にその軸部との摩擦によってスイッチカバー５２が磨耗して、
接点が閉じない（ＯＮしない）状態が生じることがある。
【０００６】
本発明はこのような点に鑑み、コイルバネは便座の軸部に係る荷重を支える目的で使用
し、タクトスイッチの接点が閉じる（ＯＮする）ことによって着座検出する方式に替えて
、タクトスイッチの接点が開く（ＯＦＦする）ことによって、着座検出が確実に行なえる
方式とし、上記のような課題を解決するものである。
【課題を解決するための手段】
【０００７】
第１発明は、開閉する便座の軸部に対応配置され着座時の便座の下降によってタクトス
イッチを作動する仕組みの温水洗浄便座の着座検出スイッチ装置において、前記タクトス
イッチを収納したスイッチケース内には、軸支持部でシーソー式回動可能に支持された作
動アームと、この作動アームの一端側のスイッチ作動部が下降して前記タクトスイッチの
接点を閉じるように前記作動アーム他端側の押し圧作動部を常時上昇付勢するコイルバネ
を備え、前記便座の下降に伴い前記作動アームは、前記コイルバネに抗した前記押し圧作
動部の下降によって、前記スイッチ作動部が上昇して前記スイッチ接点を開くことにより
、便座に着座したことを検出するように作動する。
【０００８】
第２発明は、第１発明において、前記スイッチケースは上面開口を備え、前記スイッチ
ケースに対して上下動可能に組み合わされて前記便座の軸部が当接する耐磨耗性の合成樹
脂製スイッチカバーで前記上面開口が覆われ、前記スイッチカバーは、前記便座の軸部の
下降に伴って前記スイッチ接点を開く方向に前記押し圧作動部を下降作動することを特徴
とする。
【発明の効果】
【０００９】
第１発明によって、コイルバネは作動アームの一端側の押し圧作動部を上方へ押して、
タクトスイッチの接点を閉じ、便座の下降に伴って作動アームがシーソー動作してスイッ
チ作動部が上昇してスイッチ接点が開くため、従来のように着座時の便座の軸部の下降ス
トロークがそのまま、タクトスイッチの接点を閉じる（ＯＮする）ストロークとなるもの
に比して、便座の下降ストロークに対するスイッチの動作ストロークを大きくとることが
容易となり、便器の歪みが大きい場合や温水洗浄便座の部品同士の干渉がある場合に生じ
るスイッチを作動させる動作誤差を吸収して、便座に着座したことの検出が確実となる。
【００１０】
第２発明は、第１発明の効果に加えて、スイッチケースの上面開口を覆うスイッチカバ
ーが、耐磨耗性の合成樹脂製で以って便座の軸部に当接しており、便座の下降に伴ってス
イッチカバーが作動アームの押し圧作動部を下方へ押すことにより、耐久性のある安定し
た着座検出が得られるものとなる。
【発明を実施するための最良の形態】
【００１１】
本発明は、開閉する便座の軸部に対応配置され着座時の便座の下降によってタクトスイ
ッチを作動する仕組みの温水洗浄便座の着座検出スイッチ装置において、前記タクトスイ
ッチを収納したスイッチケース内には、軸支持部でシーソー式回動可能に支持された作動
アームと、この作動アームの一端側のスイッチ作動部が下降して前記タクトスイッチの接
点を閉じるように前記作動アーム他端側の押し圧作動部を常時上昇付勢するコイルバネを
備え、前記便座の下降に伴い前記作動アームは、前記コイルバネに抗した前記押し圧作動
部の下降によって、前記スイッチ作動部が上昇して前記スイッチ接点を開くことにより、
便座に着座したことを検出するものであり、本発明の実施例を以下に記載する。
【実施例１】
【００１２】
本発明の実施形態について説明する。図１は本発明に係る温水洗浄便座の蓋が閉まった
状態の斜視図、図２は本発明に係る温水洗浄便座の蓋を取り外した状態の斜視図、図３は
本発明に係る温水洗浄便座の蓋と機能部分のカバーを取り外した状態の斜視図、図４は本
発明に係る温水洗浄便座の機能部分のカバーを取り外した状態の平面図、図５は本発明に
係る温水洗浄便座の軸部に対応して着座検出スイッチ装置を取り付けた部分の断面図、図
６は本発明に係る着座検出スイッチ装置の分解斜視図、図７は本発明に係る着座検出スイ
ッチ装置の断面図である。
【００１３】
図において、１は本発明の温水洗浄便座を示しており、裏側から絶縁被覆されたコード
ヒータで加温される便座２と、便座２の上面を覆う開閉蓋３と、便座２及び開閉蓋３の後
方に位置して後述の機能部１０を配置すると共に便座２及び開閉蓋３を開閉回動可能に支
持する基材部８を備えている。基材部８には、便座２の後部下側へ延びる肛門洗浄用ノズ
ル４Ａやビデ洗浄用ノズル４Ｂや温水タンク５や電装部６等の機能部１０が配設され、こ
の機能部１０を覆うようにカバー７が基材部８に着脱自在に取り付けられている。カバー
７の一部がパネル７Ａになっている。蓋３の後端部の駆動側（図では右側）は、基材部８
に支持部材を介して取り付けた電動機装置９によって往復回転する回転軸１１に取り付け
られて上方に開閉回動可能である。また、便座２の後端部の駆動側（図では左側）は、基
材部８に取り付けた電動機装置１２によって往復回転する回転軸１３に取り付けられてい
る。また、便座２の後端部の従動側（図では右側）は、便座２の後端部から水平方向に外
向きに突出した円筒状軸部２４が一体に形成され、この円筒状軸部２４が後述のタクトス
イッチ２８作動部として作用する。なお、この円筒状軸部２４へ緩く進入するように基材
部８から延びた水平方向軸によって、回動可能且つ上下動可能に支持するようにしてもよ
い。また、円筒状軸部２４が基材部８の軸受け部に上下動可能に支持される構成でもよい
。
【００１４】
温水タンク５へ供給される水道水は、水道水配管に接続されたパイプジョイント装置１
４によって水道水配管に接続された導水管１９に取り付けた電磁弁と減圧弁を順次通って
供給される。１５は温風用電気ヒータを内蔵した温風供給装置であり、基材部８に取り付
けられていて、便座２の後部下側へ延びる温風ノズル１５Ａから温風を供給する。
【００１５】
温水タンク５内の水を加熱するためにシースヒータ（図示せず）が温水タンク５内底部
に配設されている。温水タンク５の上壁には、温水タンク５内の湯温を検知する温度検知
部２１と、温水タンク５内の湯温レベルを検知するフロートスイッチ２２と、温水タンク
５内の湯温のオーバーフロー用パイプの取り付け部２３が設けられている。
【００１６】
着座検出スイッチ装置２５は、開閉する便座２の軸部２４に対応配置され、着座時の便
座２の下降によってタクトスイッチ２８を作動する仕組みであり、図では、便座２の後端
部の従動側（図では右側）に形成した円筒状軸部２４に対応した下方に、着座検出スイッ
チ装置２５が配置されている。この着座検出スイッチ装置２５は、基材部８に取り付けて
いる。図では、基材部８にスイッチケース２７の取り付けフランジ部２７Ａをネジによっ
て取り付ける構成を示している。便座２は、その裏側に間隔を存して複数個の弾性脚部２
Ａが設けられ、便器上面フランジ部に便座２を倒した状態で、この弾性脚部２Ａが便器上
面フランジ部に当接する。この弾性脚部２Ａによって、便座２に着座した使用者の体重に
よって軸部２４側が下降する構成であり、軸部２４が下降することによって着座検出スイ
ッチ装置２５が作動する仕組みである。この具体的構成を以下に記載する。
【００１７】
着座検出スイッチ装置２５は、上面開口の合成樹脂製スイッチケース２７に収納した着
座検出用タクトスイッチ２８を備えており、タクトスイッチ２８は、バネ（図示せず）力
によって上方に突出した可動部２９が、外力によって下方へ押されることによって内部の
スイッチ接点がＯＮする仕組みである。スイッチケース２７内には、軸支持部３３を支点
としてシーソー式回動をする作動アーム３０が設けられている。軸支持部３３の構成は、
作動アーム３０の中間部に形成した左右軸３１が、スイッチケース２７の側壁を貫通した
状態でスイッチケース２７の側壁の軸受け部３２で回動可能に支持された構成である。こ
の作動アーム３０の一端側には、タクトスイッチ２８の可動部２９に対応してスイッチ作
動部３０Ａが形成され、作動アーム３０の他端側には押し圧作動部３０Ｂが形成されてい
る。
【００１８】
スイッチケース２７の上面開口を覆うスイッチカバー３４が、スイッチケース２７に対
して上下動可能に組み合わされている。作動アーム３０の他端側の押し圧作動部３０Ｂは
、スイッチケース２７内底部に支持したコイルバネ３５によって支持され、作動アーム３
０は、軸支持部３３を支点として押し圧作動部３０Ｂがコイルバネ３５によって上方へ押
し圧された状態で、スイッチ作動部３０Ａがタクトスイッチ２８の可動部２９を下方へ押
し圧して、タクトスイッチ２８の内部のスイッチ接点が閉じた（ＯＮした）状態に保たれ
ている。この状態で、押し圧作動部３０Ｂによってスイッチカバー３４の裏面突起部３４
Ａが上方へ押され、それによってスイッチカバー３４が上方へ移動し、その状態でスイッ
チカバー３４の中央部に形成した軸受け凹部３６が、便座２の軸部２４に当接して便座２
を上方へ付勢した状態となる。この状態が便座２に人が着座する前の待機状態である。
【００１９】
この待機状態において便座２が軸部２４を中心として開閉回動するとき、軸部２４は軸
受け凹部３６に当接して回動する。この軸部２４の回動によって軸受け凹部３６が磨耗す
るのを防止するために、スイッチカバー３４は耐磨耗性の合成樹脂製で形成されている。
また軸部２４も回動によって磨耗するのを防止するために、耐磨耗性の合成樹脂製である
。
【００２０】
上記のように、便座２に人が着座する前の待機状態では、タクトスイッチ２８の内部の
スイッチ接点が閉じた（ＯＮした）状態である。この状態において、便座２に人が着座し
てその荷重によって、コイルバネ３５の付勢に抗して軸部２４がスイッチカバー３４と共
に下降してコイルバネ３５を圧縮させる。これに伴って、作動アーム３０は、軸支持部３
３を支点としてスイッチカバー３４によって押し圧作動部３０Ｂが下降すると共に、スイ
ッチ作動部３０Ａが上昇するため、タクトスイッチ２８の可動部２９の押し圧が解除され
て、タクトスイッチ２８の内部のスイッチ接点が開く（ＯＦＦする）。また、着座状態の
便座２から人が離れることによって、着座する前の待機状態となる。
【００２１】
この場合、軸支持部３３の支点から押し圧作動部３０Ｂの中心までの長さをＢとし、軸
支持部３３の支点からスイッチ作動部３０Ａの中心までの長さをＡとし、押し圧作動部３
０Ｂが下降するストロークをＳ１としたとき、スイッチ作動部３０Ａが上昇するストロー
クＳ２は、Ｓ１に（Ａ／Ｂ）を乗じた値であるため、図のようにＡ＞Ｂとすれば、押し圧
作動部３０Ｂが下降する小さいストロークＳ１で以って、大きなストロークＳ２によって
スイッチ作動部３０Ａが上昇するため、タクトスイッチ２８の内部のスイッチ接点が確実
に開く（ＯＦＦする）状態へ作動できる。
【００２２】
また、着座状態の便座２から人が離れることによって、コイルバネ３５によって押し圧
作動部３０Ｂが上昇するストロークＳ１が小さくても、Ａ／Ｂを１よりも大きくすること
によって、ストロークＳ１よりも大きなストロークＳ２によってスイッチ作動部３０Ａが
下降する。このため、タクトスイッチ２８の内部のスイッチ接点が確実に閉じる（ＯＮす
る）状態へ作動でき、タクトスイッチ２８の内部のスイッチ接点の切り替え作動を確実に
行なえるものとなる。
【００２３】
また、ストロークＳ１よりも大きなストロークＳ２が得られることによって、従来のよ
うに着座時の便座の軸部の下降ストロークがそのまま、タクトスイッチ２８の接点を閉じ
る（ＯＮする）ストロークとなるものに比して、便座２の下降ストロークＳ１に対するタ
クトスイッチ２８を作動させる動作ストロークＳ２を大きくとることが容易となり、便器
の歪みが大きい場合や温水洗浄便座の部品同士の干渉がある場合に生じるタクトスイッチ
２８を作動させる動作誤差を吸収して、便座に着座したことの検出が確実となる。
【００２４】
なお、作動アーム３０のシーソー動作によるタクトスイッチ２８の切り替え時点の調整
を行なうために、軸部２４の周囲に調整部材を嵌合させ、この調整部材を軸部２４の周り
で回動することによって、軸部２４がスイッチカバー３４を下方へ押す程度を加減設定す
るようにした場合も、上記で説明したことの軸部２４とスイッチカバー３４が当接関係に
あることに変わりはない。
【産業上の利用可能性】
【００２５】
本発明は、上記実施例に示した構成に限定されず、種々の形態の温水洗浄便座に適用で
きるものであり、本発明の技術範囲において種々の形態を包含するものである。
【図面の簡単な説明】
【００２６】
【図１】本発明に係る温水洗浄便座の蓋が閉まった状態の斜視図である。（実施例１）
【図２】本発明に係る温水洗浄便座の蓋を取り外した状態の斜視図である。（実施例１）
【図３】本発明に係る温水洗浄便座の蓋と機能部分のカバーを取り外した状態の斜視図である。（実施例１）
【図４】本発明に係る温水洗浄便座の機能部分のカバーを取り外した状態の平面図である。（実施例１）
【図５】本発明に係る温水洗浄便座の軸部に対応して着座検出スイッチ装置を取り付けた部分の断面図である。（実施例１）
【図６】本発明に係る着座検出スイッチ装置の分解斜視図である。（実施例１）
【図７】本発明に係る着座検出スイッチ装置の断面図である。（実施例１）
【図８】従来の着座検出スイッチ装置の分解斜視図である。
【図９】従来の着座検出スイッチ装置の断面図である。
【符号の説明】
【００２７】
１・・・・・温水洗浄便座
２・・・・・便座
３・・・・・開閉蓋
４Ａ・・・・肛門洗浄用ノズル
４Ｂ・・・・ビデ洗浄用ノズル
５・・・・・温水タンク
７・・・・・カバー
８・・・・・基材部
９・・・・・電動機装置
１０・・・・機能部
１２・・・・電動機装置
２４・・・・便座の軸部
２５・・・・スイッチ装置
２７・・・・スイッチケース
２８・・・・タクトスイッチ
２９・・・・可動部
３０・・・・作動アーム
３０Ａ・・・スイッチ作動部
３０Ｂ・・・押し圧作動部
３１・・・・左右軸
３２・・・・軸受け部
３３・・・・軸支持部
３４・・・・スイッチカバー
３５・・・・コイルバネ
３６・・・・軸受け凹部
【図１】
2009028195.tif 000003
【図２】
2009028195.tif 000004
【図３】
2009028195.tif 000005
【図４】
2009028195.tif 000006
【図５】
2009028195.tif 000007
【図６】
2009028195.tif 000008
【図７】
2009028195.tif 000009
【図８】
2009028195.tif 000010
【図９】
2009028195.tif 000011